(57)【要約】【課題】サーバの負荷が小さく、リアルタイムでコメントが交換が可能なシステムを実現する。【解決手段】 コミュニケーションシステム１は、受信画像を表示するとともに、コメントの入力を受け付ける複数の携帯端末１１と、サーバ２１とを備える。サーバ２１は、いずれかの携帯端末１１から、コメント及び再生中の番組を特定する識別情報を受信した場合、コメント及び識別情報を全ての携帯端末１１に送信する。各携帯端末１１は、サーバ２１が送信したコメント及び識別情報を受信し、識別情報で特定される番組と、自機で現在再生中の番組とが一致するか否かを判断し、一致すると判断された場合に、コメントを表示する。【選択図】図１
2010057127.tif 000002
【特許請求の範囲】
【請求項１】
受信画像を表示するとともに、画像の表示中にコメントの入力を受け付ける複数の携帯端末と、
前記複数の携帯端末と携帯通信網を介して前記コメント及び前記携帯端末に表示された画像を特定する識別情報の送受信を行うサーバとを有し、
前記サーバは、前記複数の携帯端末のうち一の携帯端末から、前記コメント及び識別情報を受信した場合、該コメント及び識別情報を他の携帯端末に送信し、
前記コメント及び識別情報を受信した携帯端末は、識別情報によって表示中の画像と前記一の携帯端末で表示中の画像とが一致するか否かを判断し、一致すると判断された場合に、コメントを表示することを特徴とするコミュニケーションシステム。
【請求項２】
前記受信画像はＴＶ放送を受信した動画であることを特徴とする請求項１に記載のコミュニケーションシステム。
【請求項３】
前記識別情報は視聴チャンネル情報であることを特徴とする請求項２に記載のコミュニケーションシステム。
【請求項４】
放送を受信再生する機能と他装置から送信されたコメントを送信する機能とを備える放送受信機であって、
放送された番組を受信する放送受信手段と、
前記放送受信手段で受信した番組を再生する番組再生手段と、
コメントを入力するコメント入力手段と、
コメント入力手段により入力したコメントと前記番組再生手段が再生中の番組の番組識別情報とを送信する送信手段と、
他の放送受信機より送信されたコメントと番組識別情報とを受信するコメント受信手段と、
コメント受信手段で受信した番組識別情報が、前記番組再生手段で再生中の番組の番組識別情報に一致するか否かを判別し、一致すると判別した場合に、受信したコメントを表示する表示手段と、
を備える放送受信機。
【請求項５】
複数の放送受信機のいずれかから送信されたコメントと番組識別情報とを含むデータを受信する受信手段と、
前記受信手段で受信したコメントと番組識別情報とを含むデータを、予め登録されている全放送受信機に送信する送信手段と、
を備えるサーバ装置。
【請求項６】
コンピュータを、
放送された番組を受信する放送受信手段、
前記放送受信手段で受信した番組を再生する番組再生手段、
コメントを入力するコメント入力手段、
コメント入力手段により入力したコメントと前記番組再生手段が再生中の番組の番組識別情報とを送信する送信手段、
他の放送受信機より送信されたコメントと番組識別情報とを受信するコメント受信手段、
コメント受信手段で受信した番組識別情報が、前記番組再生手段で再生中の番組の番組識別情報に一致するか否かを判別し、一致すると判別した場合に、受信したコメントを表示する表示手段、
として機能させるコンピュータプログラム。
【請求項７】
コンピュータを、
複数の放送受信機のいずれかから送信されたコメントと番組識別情報とを含むデータを受信する受信手段、
前記受信手段で受信したコメントと番組識別情報とを含むデータを、予め登録されている全放送受信機に送信する送信手段、
として機能させるコンピュータプログラム。
【発明の詳細な説明】
【技術分野】
【０００１】
本発明は、コミュニケーションシステム、該コミュニケーションシステムに使用される放送受信機及びサーバ装置に関する。
【背景技術】
【０００２】
近年、携帯電話の多機能・高機能化により、携帯電話でＴＶ画像を受信することも可能となってきている。また、インターネットのブロードバンド化によって、インターネットによる動画配信が可能となってきており、動画配信サイトでは、端末がサーバにアクセスすることで、端末において入力されたコメントをサーバに保存、さらにはサーバに保存された動画やコメントを端末の表示装置に表示することができ、これにより利用者同士のコミュニケーションを実現している。
【０００３】
しかしながら、動画配信サイトにおけるコミュニケーションは、コメントを入力したり表示させたりするのはユーザごとにタイミングが異なり、リアルタイムではないため、チャットのような即時性の情報交換は困難であり、またコメントのデータ保存のためのサーバへの負荷が大きいという課題があった。
【０００４】
また、複数のユーザーがメッセージ交換を行う方法として特許文献１の技術が存在するが、この技術では情報送信を行う端末グループをサーバ側で管理していたため、サーバの処理の負荷が大きかった。
【０００５】
【特許文献１】特表２００２−５２４９３５号公報
【発明の開示】
【発明が解決しようとする課題】
【０００６】
本発明は、上記実情に鑑みてなされたものであり、サーバの負荷が小さいコミュニケーションシステムを実現することを目的とする。
【課題を解決するための手段】
【０００７】
上記目的を達成するため、本発明の第１の観点に係るコミュニケーションシステムは、
受信画像を表示するとともに、画像の表示中にコメントの入力を受け付ける複数の携帯端末と、
前記複数の携帯端末と携帯通信網を介して前記コメント及び前記携帯端末に表示された画像を特定する識別情報の送受信を行うサーバとを有し、
前記サーバは、前記複数の携帯端末のうち一の携帯端末から、前記コメント及び識別情報を受信した場合、該コメント及び識別情報を他の携帯端末に送信し、
前記コメント及び識別情報を受信した携帯端末は、識別情報によって表示中の画像と前記一の携帯端末で表示中の画像とが一致するか否かを判断し、一致すると判断された場合に、コメントを表示することを特徴とする。
【０００８】
また、この発明の第２の観点に係る放送受信機は、
放送を受信再生する機能と他装置から送信されたコメントを送信する機能とを備える放送受信機であって、
放送された番組を受信する放送受信手段と、
前記放送受信手段で受信した番組を再生する番組再生手段と、
コメントを入力するコメント入力手段と、
コメント入力手段により入力したコメントと前記番組再生手段が再生中の番組の番組識別情報とを送信する送信手段と、
他の放送受信機より送信されたコメントと番組識別情報とを受信するコメント受信手段と、
コメント受信手段で受信した番組識別情報が、前記番組再生手段で再生中の番組の番組識別情報に一致するか否かを判別し、一致すると判別した場合に、受信したコメントを表示する表示手段と、
を備える。
【０００９】
また、この発明の第３の観点に係るサーバ装置は、
複数の放送受信機のいずれかから送信されたコメントと番組識別情報とを含むデータを受信する受信手段と、
前記受信手段で受信したコメントと番組識別情報とを含むデータを、予め登録されている全放送受信機に送信する送信手段と、
を備える。
【００１０】
また、この発明の第４の観点に係るコンピュータプログラムは、
コンピュータを、
放送された番組を受信する放送受信手段、
前記放送受信手段で受信した番組を再生する番組再生手段、
コメントを入力するコメント入力手段、
コメント入力手段により入力したコメントと前記番組再生手段が再生中の番組の番組識別情報とを送信する送信手段、
他の放送受信機より送信されたコメントと番組識別情報とを受信するコメント受信手段、
コメント受信手段で受信した番組識別情報が、前記番組再生手段で再生中の番組の番組識別情報に一致するか否かを判別し、一致すると判別した場合に、受信したコメントを表示する表示手段、
として機能させる。
【００１１】
また、この発明の第５の観点に係るコンピュータプログラムは、
コンピュータを、
複数の放送受信機のいずれかから送信されたコメントと番組識別情報とを含むデータを受信する受信手段、
前記受信手段で受信したコメントと番組識別情報とを含むデータを、予め登録されている全放送受信機に送信する送信手段、
として機能させる。
【発明の効果】
【００１２】
この発明においては、サーバは受信したデータを配信するだけで足り、コメントをどの携帯端末に送るかを判断する等の複雑な処理が必要がなく、サーバの負荷が小さくて済む。また、サーバにコメントを保存する必要がないため、サーバの記憶容量が小さくて済み、構成を簡略化できる。
【発明を実施するための最良の形態】
【００１３】
以下、この発明の実施の形態について図面を参照しながら詳細に説明する。なお、図中同一または相当部分には同一符号を付す。
【００１４】
本実施形態に係るコミュニケーションシステム１は図１に示すように、複数の携帯端末１１−１〜１１−Ｎと、サーバ２１とから構成され、同一の番組を視聴しているユーザ同士で、コメントの交換を可能とするシステムである。
【００１５】
より詳細に説明すると、このコミュニケーションシステム１において、各携帯端末１１（１１−１〜１１−Ｎ）は、ＴＶ放送局設備３１からのテレビ（TV)放送波３２を受信し、任意の番組を再生し、表示する。ユーザは、各携帯端末１１が再生・表示している番組について、任意のコメントを入力することができる。各携帯端末１１は、入力されたコメントと視聴中の番組の識別情報（番組識別情報）とを含むデータＤＵをサーバ２１に送信する。サーバ２１は、データＤＵを受信し、各携帯端末１１にデータＤＤとしてを送信する。各携帯端末１１は、サーバ２１から送信されたデータＤＤを受信し、受信したデータＤＤが、再生中の番組と同一の番組に関するものであれば、これを表示する。これにより、同一の番組を見ている者同士のコメントの交換、コミュニティの形成を可能とする。
【００１６】
次に、上記コミュニケーションシステム１を構成するサーバ２１と各携帯端末１１の構成について説明する。
【００１７】
サーバ２１は、図２に示すように、制御部２１１と、記憶部２１２と、データ通信部２１３と、から構成される。
【００１８】
制御部２１１は、ＣＰＵ(Central Processing Unit)などから構成され、記憶部２１２に記憶されている動作プログラムを実行し、サーバ２１全体の制御を行うともに、後述するように、携帯端末１１からＴＶ番組に関するデータＤＵを受信し、全端末１１に送信（配信）するための処理を実行する。
【００１９】
記憶部２１２は、ＲＡＭ(Random Access Memory)、ＲＯＭ(Read Only Memory)、ハードディスク装置、フラッシュメモリ、などから構成され、制御部２１１の動作プログラムを記憶する共に、制御部２１１の作業領域として用いられる。また、記憶部２１２には、サーバ２１が提供するサービスを享受する携帯端末１１のアドレスがあらかじめ登録されている。
【００２０】
データ通信部２１３は、携帯通信網を介して携帯端末１１とコメント及び番組識別情報を含むデータＤＵ，ＤＤを送受信する。
【００２１】
携帯電話１１（１１−１〜１１−Ｎ）は、通常の携帯電話と同様に、音声通話、データ通信、ウェブアクセス、ＴＶ受信・再生などの機能を備える共に、ＴＶ番組再生中にコメントを送受信する機能を備え、図３及び図４に示すように、制御部１１１と、ROM１１２と、主記憶部１１３と、データメモリ１１４と、ＴＶ受信部１１５と、ディスプレイ１１６と、放音部１１７と、キー操作部１１８と、データ通信部１１９とから構成される。
【００２２】
制御部１１１は、ＣＰＵなどから構成され、ＲＯＭ１１２に記憶されているプログラムを実行し、通常の通話動作、テレビ放送の再生動作、後述するコメントの送受信などの動作を行う。
【００２３】
ROM１１２は、制御部１１１が実行するプログラムや制御に使用する固定データを記憶する。
【００２４】
主記憶部１１３は、制御部１１１により、プログラム実行時に作業領域として用いられるRAMなどから構成される。
【００２５】
データメモリ１１４は、フラッシュメモリ等から構成され、任意のデータ、例えば、ＴＶ受信用のデータ等を格納する。
【００２６】
ＴＶ受信部１１５は、ＴＶ放送局設備３１から送信されたＴＶ放送波３２、たとえば、ワンセグ放送のＴＶ放送波３２を受信し、受信信号を復調して画像信号及び音声信号を再生し、制御部１１１に供給する。
【００２７】
ディスプレイ１１６は、液晶表示素子などから構成され、制御部１１１の制御に従って、受信したＴＶ動画４２、サーバ２１から受信したコメント（テキスト）４１等を表示する。
【００２８】
放音部１１７は、スピーカなどから構成され、制御部１１１の制御に従って、受信したＴＶ音声を出力する。
【００２９】
キー操作部１１８は、電話番号の入力に使用されると共に、コメントを構成するテキストの入力や、ＴＶ視聴モードとその他モードの切り替えや、ＴＶチャンネル切り替えなどの指示を入力するためのものである。
【００３０】
データ通信部１１９は携帯通信網を介してサーバ２１と通信を行い、データＤＵを送信し、データＤＤを受信する。
【００３１】
次に、本実施の形態のコミュニケーションシステム１の概略的な動作を、図５を参照して説明する。ここでは、理解を容易にするため、図１に示すように、携帯端末１１−１，１１−２，１１−Ｎが同一の番組を再生しており、携帯端末１１−３が他の携帯端末とは異なる番組を再生中であると想定する。さらに、この状態で、ユーザが、携帯端末１１−１に、ＴＶ番組についてのコメントをキー操作部１１８から入力したとする（ステップＳ４０１）。携帯端末１１の制御部１１１は、再生中のＴＶ番組の識別情報を判別し、判別した識別情報と入力されたコメント（テキスト情報）とを含むデータＤＵを生成し、これを、データ通信部１１９と携帯電話網を介して、サーバ２１に送信する（ステップＳ４０２）。
【００３２】
サーバ２１は、携帯端末１１−１からのデータＤＵをデータ通信部２１３を介して受信し（ステップＳ４０３）、記憶部２１２に記憶されている全宛先アドレス宛に、すなわち、携帯端末１１−１〜１１−Ｎ宛に、リアルタイムで（大幅な遅延時間を与えないで）、データ通信部１１９を介してデータＤＤとして送信する（ステップＳ４０４）。
【００３３】
各携帯端末１１−１〜１１−Ｎの制御部１１１は、データ通信部１１９を介して、サーバ２１からデータＤＤを受信し（ステップＳ４０５）、受信したデータＤＤに含まれている番組識別情報が、自己が再生中の番組の識別情報に一致する場合には、受信したコメントをディスプレイ１１６に表示し、一致しない場合には、受信したコメントを廃棄する（ステップＳ４０６）。
【００３４】
次に、個々の端末１１及びサーバ２１が、それぞれ実行する詳細な処理を、図６〜図８を参照して説明する。
【００３５】
携帯端末１１の制御部１１１は、ＴＶの再生を開始し、且つ、コメントを共有するモードが設定されると、図６に示すコメント受け付け処理と図８に示すコメント表示処理を並列的に実行する。
【００３６】
一方、サーバ２１は、電源が投入されると、図７に示す処理を実行する。
【００３７】
制御部１１１は、図６のコメント受け付け処理を開始すると、ユーザのキー操作により、コメントが入力されたか否かを判別する（ステップＳ１０１）。コメントが入力されたと判別した場合（ステップＳ１０１；Ｙｅｓ）、再生中の番組の番組識別情報を判別し、入力されたコメントと判別した番組識別情報とを含むデータＤＵを生成し、データ通信部１１９から、サーバ２１宛に送信する。一方、ステップＳ１０１で、コメントが入力されていないと判別された場合には、ステップＳ１０２をスキップする。
【００３８】
続いて、制御部１１１は、キー操作部１１８から、ＴＶ受信の終了、或いは、コメント共有モードの終了が指示されているか否かを判別し（ステップＳ１０３）、終了が指示されていれば（ステップＳ１０３；Ｙｅｓ）、処理を終了し、終了が指示されていなければ（ステップＳ１０３；Ｎｏ）、ステップＳ１０１に戻って、上述の動作を繰り返す。
【００３９】
このようにして、ＴＶ視聴状態且つコメント共有モードで、ユーザがコメントを入力すると、そのコメントは自動的にサーバ２１に送信される。
【００４０】
サーバ２１の制御部２１１は、図７の処理を常時実行していおり、まず、いずれかの携帯端末１１からのデータＤＵを受信したか否かを判別する（ステップＳ２０１）。データＤＵをデータ通信部２１３を介して受信していると判別した場合（ステップＳ２０１；Ｙｅｓ）、制御部２１１は、携帯端末１１のアドレスを記憶部２１２から読み出し、全携帯端末（本サービスを享受する対象の全携帯端末）１１宛に、受信した番組識別情報とコメントとを含むデータＤＤを送信する（ステップＳ２０２）。一方、ステップＳ２０１で、データＤＵを受信していないと判別した場合（ステップＳ２０１；Ｎｏ）、ステップＳ２０２をスキップする。
【００４１】
続いて、制御部２１１は、処理の終了が指示されているか否かを判別し（ステップＳ２０３）、終了が指示されていれば（ステップＳ２０３；Ｙｅｓ）、処理を終了し、終了が指示されていなければ（ステップＳ２０３；Ｎｏ）、ステップＳ２０１に戻って、上述の動作を繰り返す。
このようにして、ある携帯端末１１が送信したコメントは、全携帯端末１１に配信される。
【００４２】
制御部１１１は、図８のコメント表示処理を開始すると、データ通信部１１９が、サーバ２１からデータＤＤを受信したか否かを判別する（ステップＳ３０１）。データＤＤを受信したと判別した場合（ステップＳ３０１；Ｙｅｓ）、自機が受信・再生中の番組の番組識別情報を判別し、受信したデータＤＤに含まれている番組識別情報に一致するか否かを判別する（ステップＳ３０２）。一致すると判別した場合（ステップＳ３０２；Ｙｅｓ）、受信したデータＤＤに含まれているコメントをディスプレイ１１６に表示する（ステップＳ３０３）。一方、ステップＳ３０１，Ｓ３０２で、Ｎｏと判別された場合には、ステップＳ３０３をスキップする。
【００４３】
続いて、制御部１１１は、キー操作部１１８から、ＴＶ受信の終了、或いは、コメント共有モードの終了が指示されているか否かを判別し（ステップＳ３０４）、終了が指示されていれば（ステップＳ３０４；Ｙｅｓ）、処理を終了し、終了が指示されていなければ（ステップＳ３０４；Ｎｏ）、ステップＳ３０１に戻って、上述の動作を繰り返す。
【００４４】
このような動作を繰り返す結果、例えば、図１に例示するように、携帯端末１１−１でユーザがコメントを入力すると、ステップＳ１０１でＹｅｓと判別され、ステップＳ１０２で、番組識別情報とコメントとを含むデータＤＵがサーバ２１に送信される。そして、サーバ２１は、ステップＳ２０１でデータＤＵを受信したと判別し、ステップＳ２０２でデータＤＤを生成し、全端末１１に配信する。各端末１１−１〜１１−Ｎは、サーバ２１から送信されたデータＤＤを受信し、これをステップＳ３０１で判別し、受信したデータＤＤに含まれている番組識別情報が自己が再生中の番組の番組識別情報に一致するか否かを判別する（ステップＳ３０２）。図１の例では、携帯端末１１−１，１１−２，１１−Ｎは、一致すると判別し（ステップＳ３０２；Ｙｅｓ）、携帯端末１１−３は、不一致と判別する（ステップＳ３０２；Ｎｏ）。この結果、携帯端末１１−１と同一の番組を再生している携帯端末１１−１，１１−２，１１−Ｎには、携帯端末１１−１から送信されたコメントが表示され（ステップＳ３０３）、他の番組を再生している携帯端末１１−３は、このコメントを表示しない。
【００４５】
このようにして、ＴＶ視聴状態且つコメント共有モードで、ユーザがコメントを入力すると、そのユーザと同一の番組を見ているユーザの携帯端末にコメントは自動的にサーバ２１に送信され、コメントの共有化とコミュニティの形成が可能となる。
【００４６】
本実施形態によれば、サーバ２１にコメント保存用の記憶装置を準備することなしに、共通のＴＶを視聴する携帯端末１１間でのコメントやメッセージのリアルタイムでの交換が可能となる。さらに、各携帯端末１１が、受信したコメントを表示するか否かを判定するため、サーバ２１による、コメント送信先の判定、選択処理が不要であり、サーバ２１の負荷が小さくて済む。
【００４７】
なお、番組識別情報を判別する手法は、任意であるが、例えば、放送波３２に含まれる番組ＩＤを使用してもよく、また、予め電子番組表を各携帯端末１１に配信しておき、受信チャンネルと現在時刻をキーに電子番組表を参照して、視聴中の番組の識別情報を判別する等してもよい。
【００４８】
また、上記実施の形態では、ＴＶ放送を受信する携帯端末間でコメントを交換する例を示したが、本願発明は、ＴＶに限定されず、任意の画像を共通に受信し、コメントを交換するする場合に広く適用可能である。また、携帯端末に限定されず、固定・設置型の受信機間でコメントの交換・表示を可能としてもよい。
【００４９】
また、この発明は、専用の装置によらず、通信機能を有するコンピュータに上述の動作を実行させるプログラムをインストールして、上述の携帯端末或いはサーバと同様の動作を実行させることも可能である。
【図面の簡単な説明】
【００５０】
【図１】本発明の実施の形態に係るシステムの構成を示す図である。
【図２】サーバの構成図である。
【図３】携帯端末の構成図である。
【図４】携帯端末の外観図である。
【図５】システム全体の動作を説明するためのフローチャートである。
【図６】端末のコメント受付処理を説明するためのフローチャートである。
【図７】サーバの情報送受信処理を説明するためのフローチャートである。
【図８】端末のコメント表示処理を説明するためのフローチャートである。
【符号の説明】
【００５１】
１１−１〜１１−Ｎ  携帯端末
３１  ＴＶ放送局設備
３２  ＴＶ放送波
【図１】
2010057127.tif 000003
【図２】
2010057127.tif 000004
【図３】
2010057127.tif 000005
【図４】
2010057127.tif 000006
【図５】
2010057127.tif 000007
【図６】
2010057127.tif 000008
【図７】
2010057127.tif 000009
【図８】
2010057127.tif 000010